(57)【要約】【課題】アナモフィックレンズを利用することなく、アスペクト比が１６：９より横長である表示デバイスを用いて映画の映像ソースを表示するのに適した映像投射装置を提供する。【解決手段】プロジェクター１は、外部からの入力映像信号に処理を施す映像処理部３と、映像処理部３により処理を施された映像信号に基づいて駆動されるＬＣＤパネル５と、ＬＣＤパネル５によって形成された映像を外部に投射するレンズ６と、レンズ６を駆動するレンズ駆動部７と、制御部９とを備える。制御部９は、外部から入力される映像ソースのアスペクト比に応じて、当該映像ソースを解像度変換により拡大するように映像処理部３を制御する。合わせて、映像ソースのアスペクト比に応じたレンズ６の位置の調整値を保存し、この調整値のうち外部から入力される映像ソースのアスペクト比に対応した調整値を呼び出してレンズ駆動部７を制御する。【選択図】図１
2013054093.tif 000002
【特許請求の範囲】
【請求項１】
外部からの入力映像信号に処理を施す映像処理部と、
前記映像処理部により処理を施された映像信号に基づいて駆動される表示デバイスと、
前記表示デバイスによって形成された映像を外部に投射するレンズと、
前記レンズを駆動するレンズ駆動部と、
外部から入力される映像ソースのアスペクト比に応じて、当該映像ソースを解像度変換により拡大するように前記映像処理部を制御するとともに、映像ソースのアスペクト比に応じた前記レンズの位置の調整値を保存し、前記調整値のうち前記外部から入力される映像ソースのアスペクト比に対応した調整値を呼び出して前記レンズ駆動部を制御する制御部と、を備える
映像投射装置。
【請求項２】
前記表示デバイスは、アスペクト比が１６：９より横長である液晶ディスプレイパネルであり、
前記制御部は、前記映像処理部に対する制御を、外部から入力される映画の映像ソースのアスペクト比に応じて、当該映像ソースの上下及び左右に黒帯を付加した後、当該映像ソースを解像度変換により拡大することによって前記黒帯による黒信号分を減少させるように行う
請求項１記載の映像投射装置。
【請求項３】
前記制御部は、前記レンズの位置の調整値として、前記レンズのズーム，フォーカス，シフトの調整値を保存する
請求項２記載の映像投射装置。
【請求項４】
前記レンズの位置を調整する第１の操作と、
前記第１の操作による調整値を映画の映像ソースのアスペクト比と対応させて保存する第２の操作と、
前記第２の操作による保存結果のうちの任意のアスペクト比についての保存結果を選択する第３の操作と
を行うための操作部をさらに備え、
前記制御部は、
前記操作部で前記第２の操作が行われたことに基づいて前記レンズの位置の調整値を保存し、
前記操作部で前記第３の操作が行われたことに基づいて前記映像処理部及び前記レンズ駆動部に対する制御を行う
請求項３記載の映像投射装置。
【請求項５】
外部からの入力映像信号に処理を施す映像処理部と、
前記映像処理部により処理を施された映像信号に基づいて駆動される表示デバイスと、
前記表示デバイスによって形成された映像を外部に投射するレンズと、
前記レンズを駆動するレンズ駆動部と、
制御部と
を備えた映像投射装置の制御方法において、
前記制御部が、映像ソースのアスペクト比に応じて前記レンズの位置の調整値を保存することと、
前記制御部が、外部から入力される映像ソースのアスペクト比に応じて、当該映像ソースを解像度変換により拡大するように前記映像処理部を制御することと、
前記制御部が、前記調整値のうち前記外部から入力される映像ソースのアスペクト比に対応した調整値を呼び出して前記レンズ駆動部を制御することとを含む
映像投射装置の制御方法。
【発明の詳細な説明】
【技術分野】
【０００１】
本開示は、映像投射装置及び映像投射装置の制御方法に関し、特に、アナモフィックレンズを利用することなく、アスペクト比が１６：９より横長である表示デバイスを用いて映像ソースを表示するのに適したものに関する。
【背景技術】
【０００２】
外部からの入力映像信号に基づいて表示デバイスとしてのＬＣＤ（Liquid Crystal Display：液晶ディスプレイ）パネルを駆動し、このＬＣＤパネルによって形成された映像をレンズにより外部のスクリーンに投射する映像投射装置が、家庭等に普及している。従来の映像投射装置では、アスペクト比２．３５：１のＣＩＮＥＭＡＳＣＯＰＥ（登録商標）の映像ソースを表示する場合、次の〈ａ〉及び〈ｂ〉に示す方法を採用していた。
〈ａ〉入力した２．３５：１の映像ソースを、映像投射装置内の映像処理部で、縦方向に拡大することによりＬＣＤパネルのアスペクト比に合わせてアスペクト変換する。
〈ｂ〉そして、ＬＣＤパネルによって形成された映像を、市販のアナモフィックレンズを利用して横方向に拡大することにより再び２．３５：１にアスペクト変換して、アスペクト比２．３５：１のスクリーンにフィットさせて投射する。
【０００３】
また、従来から、映像投射装置の分野では、アナモフィックレンズを利用することにより、光の利用効率を向上させて映像を投射する技術が提案されている。（例えば特許文献１。）
【先行技術文献】
【特許文献】
【０００４】
【特許文献１】特開平６−９５０６３号公報
【発明の概要】
【発明が解決しようとする課題】
【０００５】
しかし、アナモフィックレンズは高価なため、アナモフィックレンズを利用できないユーザーもいる。アナモフィックレンズを利用できない場合、アスペクト比２．３５：１の映像ソースを表示するためには、従来、上記の〈ａ〉及び〈ｂ〉の方法に代えて次の〈ｃ〉及び〈ｄ〉に示す方法を採用していた。
〈ｃ〉２．３５：１の映像ソースを、映像投射装置内の映像処理部から、本来の映像部分のアスペクト比は２．３５：１のままで（ＬＣＤパネルのアスペクト比が１６：９の場合には、それに合わせて上下に横の黒帯を付加したレターボックスとして）出力する。
〈ｄ〉そして、映像投射装置に備え付けのレンズのズーム，フォーカス，シフト（映像を投射する位置の上下左右への移動）の値を、ユーザーがマニュアルで調整する。この調整作業により、ＬＣＤパネルによって形成された映像のうちの黒帯以外の本来の映像部分を、アスペクト比２．３５：１のスクリーンにフィットさせて投射する。
【０００６】
しかし、このようにマニュアルでレンズの位置を調整することは、ユーザーにとって煩雑である。そして、映画の映像ソースには、アスペクト比が２．３５：１以外のもの（例えばアスペクト比が１．８５：１のビスタなど）も存在する。そのため、ユーザーは、アスペクト比が異なる映画の映像ソースを表示する毎に、そうしたレンズの位置の調整を行わなければならなくなる。
【０００７】
また、映像投射装置には、デジタルシネマに関するＤＣＩ（Digital Cinema Initiative）仕様に準拠してアスペクト比１７：９のＬＣＤパネルを用いたものも存在している。そうした映像投射装置内の映像処理部では、上記の〈ｃ〉の方法において、２．３５：１の映像ソースに、上下に横の黒帯を付加するだけでなく左右にも縦の黒帯を付加する（すなわち額縁画面にする）ことになる。
【０００８】
しかし、このように上下だけでなく左右にも黒帯を付加した黒信号分の多い映像信号に基づいてＬＣＤパネルを駆動すると、ＬＣＤパネルからの出射光量が少なくなるので、スクリーンに投射される映像の輝度が低くなってしまう。
【０００９】
本開示は、上述の点に鑑み、アナモフィックレンズを利用することなく、アスペクト比が１６：９より横長である表示デバイスを用いて映画の映像ソースを表示するのに適した映像投射装置及び映像投射装置の制御方法を提供することを目的とする。
【課題を解決するための手段】
【００１０】
上記目的を達成するため、本開示に係る映像投射装置は、外部からの入力映像信号に処理を施す映像処理部と、映像処理部により処理を施された映像信号に基づいて駆動される表示デバイスと、表示デバイスによって形成された映像を外部に投射するレンズと、レンズを駆動するレンズ駆動部と、制御部と、を備える。
そして、制御部は、外部から入力される映像ソースのアスペクト比に応じて、当該映像ソースを解像度変換により拡大するように映像処理部を制御するとともに、映像ソースのアスペクト比に応じたレンズの位置の調整値を保存し、調整値のうち外部から入力される映像ソースのアスペクト比に対応した調整値を呼び出してレンズ駆動部を制御することを特徴とする。
【００１１】
また、本開示に係る映像投射装置の制御方法は、外部からの入力映像信号に処理を施す映像処理部と、映像処理部により処理を施された映像信号に基づいて駆動される表示デバイスと、表示デバイスによって形成された映像を外部に投射するレンズと、レンズを駆動するレンズ駆動部と、制御部とを備えた映像投射装置の制御方法である。
そして、制御部が、映像ソースのアスペクト比に応じてレンズの位置の調整値を保存することと、制御部が、外部から入力される映像ソースのアスペクト比に応じて、当該映像ソースを解像度変換により拡大するように映像処理部を制御することと、制御部が、調整値のうち外部から入力される映像ソースのアスペクト比に対応した調整値を呼び出してレンズ駆動部を制御することとを含むことを特徴とする。
【発明の効果】
【００１２】
本開示によれば、外部から入力される映像ソースのアスペクト比に応じて、当該映像ソースを解像度変換により拡大するように映像処理部が制御される。
したがって、例えばアスペクト比が１６：９より横長である表示デバイスを用いて映画の映像ソースを表示する場合には、映像ソースの上下左右に付加された黒帯による黒信号分を、解像度変換によって減少させることができるようになる。その結果、表示デバイスを、黒信号分がより少ない映像信号に基づいて駆動することができるようになる。これにより、アスペクト比が１６：９より横長である表示デバイスを用いて映画の映像ソースを表示する場合に、スクリーンに投射される映像の輝度を高めることができる。
【００１３】
さらに、本開示によれば、映像ソースのアスペクト比に応じたレンズの調整値が保存され、その調整値のうち、外部から入力される映像ソースのアスペクト比に対応した調整値を呼び出してレンズ駆動部が制御される。
したがって、例えば映画の映像ソースを表示する場合には、映画の映像ソースのアスペクト比に応じて、当該映像ソースを当該アスペクト比のスクリーンにフィットさせて投射するような調整値を保存しておく。その後、保存した調整値を呼び出してレンズ駆動部を制御することができるようになる。これにより、高価なアナモフィックレンズを利用することなく、且つアスペクト比の異なる映像ソース毎にユーザーがマニュアルでレンズの位置を調整することなく、映画の映像ソースをスクリーンにフィットさせて投射することができる。
【図面の簡単な説明】
【００１４】
【図１】本開示の一実施の形態における映像投射装置の主要部の構成を示すブロック図である。
【図２】本開示の一実施の形態における映像投射装置でアスペクト比２．３５：１の映像ソースを表示する場合の制御の様子を示す図である。
【発明を実施するための形態】
【００１５】
以下、本開示を実施するための形態を、添付図面を参照しながら説明する。
図１は、本開示の一実施の形態における映像投射装置（以下、プロジェクターと呼ぶ。）の主要部の構成を示す。この実施の形態では、プロジェクター１には、プレーヤー１２からＨＤＴＶ（High Definition Television）方式の映像信号が入力される。なお、プレーヤー１２は、Ｂｌｕ−ｒａｙディスク（Ｂｌｕ−ｒａｙは登録商標）やＤＶＤ（Digital Versatile Disc）を再生するものである。
【００１６】
プロジェクター１に入力された映像信号は、入力部２で解像度やフレームレートや走査方式（例えば１０８０．６０ｉであるか１０８０．６０ｐであるか）を判別された後、各種の映像信号処理を施す映像処理部３を経て、パネル駆動部４に送られる。パネル駆動部４は、表示デバイスとしての３枚のＬＣＤパネル５を、Ｒ，Ｇ，Ｂの映像信号に基づいて駆動する。これらのＬＣＤパネル５のアスペクト比は、デジタルシネマに関するＤＣＩ仕様に準拠して１７：９になっている。
【００１７】
３枚のＬＣＤパネル５には、プロジェクター１内の光源及び照明光学系（図示略）により、赤色，緑色，青色の光が照射される。そして、パネル駆動部４からの駆動電圧に応じて、３枚のＬＣＤパネル５により赤色，緑色，青色の映像が形成される。
【００１８】
これらのＬＣＤパネル５によって形成された赤色，緑色，青色の映像は、色合成光学素子（図示略）で合成された後、レンズ６により外部に投射される。レンズ６は、レンズ駆動部７により駆動されることによって、ズーム，フォーカス，シフト（投射位置の上下左右への移動）の値を調整可能になっている。
【００１９】
受光部８では、プロジェクター１に付属したリモートコントローラ１１の操作内容を示す赤外線信号が受光される。ＣＰＵ（Central Processing Unit）９は、リモートコントローラ１１の操作内容や入力部２の判別結果等に基づいてプロジェクター１全体を制御する制御部である。
【００２０】
リモートコントローラ１１には、本開示に関連する操作釦として、次のような操作を行うための操作釦が設けられている。
・レンズ６の位置（ズーム，フォーカス，シフトの値）を調整する第１の操作
・第１の操作によるレンズ６の位置の調整値を、調整時に入力させた映像ソースのアスペクト比と対応させて保存する第２の操作
・第２の操作によるレンズ６の位置の調整値の保存結果をメニュー表示させ、そのうちの任意のアスペクト比（例えばユーザーが外部から入力させて表示しようとする映像ソースのアスペクト比）についての保存結果を選択する第３の操作
【００２１】
ＣＰＵ９は、この第２の操作が行われたことに基づき、第１の操作によるレンズ６の位置の調整値を、映画の映像ソースのアスペクト比と対応させて不揮発性のメモリ１０に保存する。
【００２２】
したがって、ユーザーは、映画の映像ソースのアスペクト比毎に、当該アスペクト比の映像ソースを当該アスペクト比のスクリーンにフィットさせて投射するように一度レンズ６の位置を調整しておけば、その調整値をメモリ１０に保存させることができる。
【００２３】
また、ＣＰＵ９は、上記の第３の操作が行われたことに基づき、メモリ１０の保存結果を外部のスクリーンにメニュー画面として投射して表示させ、そのメニュー画面での選択結果に応じて映像処理部３及びレンズ駆動部７を次のように制御する。
・外部から入力される映像ソースのアスペクト比に応じて、当該映像ソースを解像度変換により拡大する「入力信号拡大処理」を行うように、映像処理部３を制御する。
・メモリ１０に保存したレンズ６の位置の調整値のうち、外部から入力される映像ソースのアスペクト比に対応した調整値をメモリ１０から呼び出し、その調整値に基づいてレンズ駆動部７を制御する「レンズ位置呼び出し制御」を行う。
【００２４】
図２は、図１のプロジェクター１にＨＤＴＶ方式のアスペクト比２．３５：１のＣＩＮＥＭＡＳＣＯＰＥ（登録商標）の映像ソースを入力させて表示する場合の、上記の「入力信号拡大処理」及び「レンズ位置呼び出し制御」の様子を示す。なお、図２Ａには、従来のプロジェクター（ＬＣＤパネルのアスペクト比は１６：９）でアナモフィックレンズを利用することなくアスペクト比２．３５：１の映像ソースを表示する場合の制御の様子を示している。そして、それと対比させるようにして、図２Ｂに、プロジェクター１でアスペクト比２．３５：１の映像ソースを表示する場合の制御の様子を示している。
【００２５】
図２Ａに示すように、従来のプロジェクターでは、入力した２．３５：１の映像ソースを、プロジェクター内の映像処理部２１から、本来の映像部分のアスペクト比は２．３５：１のままで出力する。このため、従来のプロジェクターが出力する映像は、ＬＣＤパネル２２のアスペクト比１６：９に合わせて上下に横の黒帯を付加したレターボックスとされている。したがって、レンズ２３のズーム，フォーカス，シフトの値を調整しない場合、レンズ２３からアスペクト比２．３５：１のスクリーン２４に投射される映像は、黒枠を含んだものとなる。
【００２６】
しかし、この状態では、スクリーン２４に投射される映像のうちの本来の映像部分が小さくなってしまい、また、本来の映像部分の周囲に黒枠が表示されるので黒色の浮きを原因としてコントラストが低下してしまう。そうした不都合を解消するために黒帯以外の本来の映像部分をスクリーン２４にフィットさせて投射させようとすると、ユーザーは、レンズ２３のズーム，シフト，フォーカスの値をマニュアルで調整しなければならなくなる。そして、映画の映像ソースにはアスペクト比が２．３５：１以外のものも存在するため、ユーザーは、アスペクト比が異なる映画の映像ソースを表示するたびに、毎回そうしたレンズ２３の位置の調整を行わなければならなくなる。
【００２７】
これに対し、図１に示すプロジェクター１では、リモートコントローラ１１の前述の第３の操作により、図２Ｂの左下隅に示すようなメニュー画面がスクリーン２４に表示される。このメニュー画面では、「１．８５：１」，「２．３５：１」，「Ｃｕｓｔｏｍ１」，「Ｃｕｓｔｏｍ２」，「Ｃｕｓｔｏｍ３」という５つのピクチャーポジションのうちの任意の１つを選択可能になっている。
【００２８】
「１．８５：１」は、アスペクト比１．８５：１の映像ソースについてのレンズ６の位置の調整値の保存結果（前述の第１及び第２の操作による保存結果）に対応したピクチャーポジションである。「２．３５：１」は、アスペクト比２．３５：１の映像ソースについてのレンズ６の位置の調整値の保存結果に対応したピクチャーポジションである。
【００２９】
「Ｃｕｓｔｏｍ１」〜「Ｃｕｓｔｏｍ３」は、１．８５：１，２．３５：１以外のアスペクト比であってユーザーがレンズ６の位置の調整時に入力させた映画の映像ソースについての調整値の保存結果に対応したピクチャーポジションである。１．８５：１，２．３５：１以外のアスペクト比の映画の映像ソースとしては、例えば、本来の映像部分は２．３５：１であるがその下に字幕が付加されたものなどが存在する。そうした字幕が付加された映像ソースの場合、字幕を表示するためには、通常の２．３５：１の場合よりもレンズ６を上方向にシフトする必要があるので、レンズ６の位置の調整値が通常の２．３５：１の場合とは異なることになる。
【００３０】
図２Ｂに示すように、このメニュー画面で「２．３５：１」が選択されると、ＣＰＵ９は、次の〈１〉に示す「入力信号拡大処理」を行うように映像処理部３を制御するとともに、次の〈２〉に示す「レンズ位置呼び出し制御」をレンズ駆動部７に対して行う。
〈１〉まず、アスペクト比２．３５：１の映像ソースに、本来の映像部分のアスペクト比は２．３５：１のままで、ＬＣＤパネル５のアスペクト比１７：９に合わせて上下に横の黒帯を付加するとともに左右にも縦の黒帯を付加する（すなわち額縁画面にする）。図２Ｂにおける映像処理部３のブロック内の左側には、この処理の様子を描いている。
次に、この額縁画面にした映像ソースを、解像度変換により縦横同じ倍率で拡大することによって、縦の黒帯による黒信号分をなくすとともに横の黒帯による黒信号分も減少させる。図２Ｂにおける映像処理部３のブロック内の右側には、この処理の様子を描いている。なお、アスペクト比１７：９のＬＣＤパネル５の場合、縦の黒帯による黒信号分がちょうどなくなる倍率は１６／１５倍である。
【００３１】
〈２〉メモリ１０に保存したレンズ６の位置の調整値のうち、アスペクト比２．３５：１に対応した調整値をメモリ１０から呼び出し、その調整値に基づいてレンズ駆動部７を制御する。
【００３２】
映像処理部３が〈１〉に示す「入力信号拡大処理」を行うことにより、ＬＣＤパネル５を、黒信号分がより少ない映像信号に基づいて駆動することができる。これにより、アスペクト比１７：９のＬＣＤパネル５を用いてアスペクト比２．３５：１の映像ソースを表示する場合に、スクリーン２４に投射される映像の輝度を高めることができる。
【００３３】
さらに、レンズ６に対して上記の〈２〉に示す「レンズ位置呼び出し制御」が行われることにより、アスペクト比２．３５：１の映像ソースが、アスペクト比２．３５：１のスクリーン２４にフィットして投射される。これにより、高価なアナモフィックレンズを利用することなく、且つアスペクト比の異なる映像ソース毎にユーザーがマニュアルでレンズ６の位置を調整することなく、アスペクト比２．３５：１の映像ソースをスクリーン２４にフィットさせて投射することができる。
【００３４】
しかも、ユーザーがメニュー画面でピクチャーポジションを選択する１つの操作を行うだけで、上記のような映像処理部３の「入力信号拡大処理」とレンズ駆動部７に対する「レンズ位置呼び出し制御」とが連動して実行される。したがって、映像処理部３で映像ソースを拡大するための操作と、レンズ６の位置の調整値を呼び出すための操作とを別々に行う必要がないので、操作の手間が軽減される。
【００３５】
図２Ｂにはメニュー画面で「２．３５：１」を選択した場合について示したが、メニュー画面で「２．３５：１」以外のピクチャーポジションを選択した場合も、映像処理部３及びレンズ駆動部７が同様にして制御される。したがって、選択結果に応じたアスペクト比のスクリーンを配置すれば、やはり、スクリーンに投射される映像の輝度を高めることができるとともに、映像ソースをスクリーンにフィットさせて投射することができる。
【００３６】
上述した実施の形態では、デジタルシネマに関するＤＣＩ仕様に準拠したアスペクト比１７：９のＬＣＤパネル５を用いたプロジェクター１に本開示を適用している。しかし、別の実施の形態として、アスペクト比が１７：９以外であって１６：９より横長であるＬＣＤパネル（例えばアスペクト比を１８：９とする仕様等ができた場合にはそれに準拠したＬＣＤパネル）を用いたプロジェクターに本開示を適用してもよい。また、従来のアスペクト比が１６：９であるＬＣＤパネルを用いたプロジェクターに本開示を適用してもよい。このため、アスペクト比が１６：９とは異なるＬＣＤパネルを用いても、適宜レンズ位置を調整することにより、所望の映像をスクリーンに投射することができる。
【００３７】
また、上述した実施の形態では、「１．８５：１」，「２．３５：１」，「Ｃｕｓｔｏｍ１」〜「Ｃｕｓｔｏｍ３」という５つのピクチャーポジション（すなわち５通りのアスペクト比の映像ソースについてのレンズ６の位置の調整値の保存結果）を選択可能である。しかし、別の実施の形態として、２通り，３通り，４通りまたは６通り以上のアスペクト比の映像ソースについてのレンズ６の位置の調整値の保存結果を選択できるようにしてもよい。
【００３８】
また、本開示は上述した実施の形態に限られるものではなく、特許請求の範囲に記載した本開示の要旨を逸脱しない限りその他種々の応用例や変形例を取り得ることは勿論である。
【００３９】
なお、本開示は以下のような構成も取ることができる。
（１）外部からの入力映像信号に処理を施す映像処理部と、
前記映像処理部により処理を施された映像信号に基づいて駆動される表示デバイスと、
前記表示デバイスによって形成された映像を外部に投射するレンズと、
前記レンズを駆動するレンズ駆動部と、
外部から入力される映像ソースのアスペクト比に応じて、当該映像ソースを解像度変換により拡大するように前記映像処理部を制御するとともに、
映像ソースのアスペクト比に応じた前記レンズの位置の調整値を保存し、前記調整値のうち前記外部から入力される映像ソースのアスペクト比に対応した調整値を呼び出して前記レンズ駆動部を制御する制御部と、を備える
映像投射装置。
（２）前記表示デバイスは、アスペクト比が１６：９より横長である液晶ディスプレイパネルであり、
前記制御部は、前記映像処理部に対する制御を、外部から入力される映画の映像ソースのアスペクト比に応じて、当該映像ソースの上下及び左右に黒帯を付加した後、当該映像ソースを解像度変換により拡大することによって前記黒帯による黒信号分を減少させるように行う
前記（１）に記載の映像投射装置。
（３）前記制御部は、前記レンズの位置の調整値として、前記レンズのズーム，フォーカス，シフトの調整値を保存する
前記（１）又は（２）に記載の映像投射装置。
（４）前記レンズの位置を調整する第１の操作と、
前記第１の操作による調整値を映画の映像ソースのアスペクト比と対応させて保存する第２の操作と、
前記第２の操作による保存結果のうちの任意のアスペクト比についての保存結果を選択する第３の操作と
を行うための操作部をさらに備え、
前記制御部は、
前記操作部で前記第２の操作が行われたことに基づいて前記レンズの位置の調整値を保存し、
前記操作部で前記第３の操作が行われたことに基づいて前記映像処理部及び前記レンズ駆動部に対する制御を行う
前記（１）〜（３）のいずれかに記載の映像投射装置。
（５）外部からの入力映像信号に処理を施す映像処理部と、
前記映像処理部により処理を施された映像信号に基づいて駆動される表示デバイスと、
前記表示デバイスによって形成された映像を外部に投射するレンズと、
前記レンズを駆動するレンズ駆動部と、
制御部と
を備えた映像投射装置の制御方法において、
前記制御部が、映像ソースのアスペクト比に応じて前記レンズの位置の調整値を保存することと、
前記制御部が、外部から入力される映像ソースのアスペクト比に応じて、当該映像ソースを解像度変換により拡大するように前記映像処理部を制御することと、
前記制御部が、前記調整値のうち前記外部から入力される映像ソースのアスペクト比に対応した調整値を呼び出して前記レンズ駆動部を制御することとを含む
映像投射装置の制御方法。
【符号の説明】
【００４０】
１…プロジェクター、２…入力部、３…映像処理部、４…パネル駆動部、５…ＬＣＤパネル、６…レンズ、７…レンズ駆動部、８…受光部、９…ＣＰＵ、１０…メモリ、１１…リモートコントローラ、２４…スクリーン
【図１】
2013054093.tif 000003
【図２】
2013054093.tif 000004